(57)【要約】  【課題】外形が異なる複数の被収納体をそれぞれ確実に保持できるドリンクホルダを提供する。  【解決手段】比較的外径寸法が大きい被収納体は、収容部12で保持し、収容部12で保持する被収納体よりも小さい外径寸法の被収納体を保持する場合には、収容部12内に保持部18を挿入し、段差部17にフランジ部19を係合させることで収納容器本体13を収容部12に着脱自在に取り付け、収納容器本体13の保持部18にて被収納体を保持できるので、外径寸法が異なる複数の被収納体をそれぞれ確実に保持できる。  【選択図】図１
2005075181.tif 000002
【特許請求の範囲】
【請求項１】
開口部および底面部を備え、被収納体を保持する収容部と、
収容部の開口部および底面部の間に設けられた段差部と、
収容部内に着脱自在に取り付けられた収納容器本体とを具備し、
収納容器本体は、
収容部に挿入され収容部で保持される被収納体よりも小さい外形の被収納体を保持する保持部と、
保持部と一体に設けられ、保持部を収容部に挿入した状態で段差部に係合可能なフランジ部とを備えている
ことを特徴とする車両用収納装置。
【請求項２】
保持部は、
被収納体の外側面に沿った第１の内側面部および第１の内側面部の下部から中心側に向けて設けられた第１の底面部を有する第１の収納凹部と、
第１の底面部から下方に突設され、第１の収納凹部で保持される被収納体よりも小さい外形の被収納体の外側面に沿った第２の内側面部および第２の内側面部の下部から中心側に向けて設けられた第２の底面部を有する第２の収納凹部とを備えている
ことを特徴とする請求項１記載の車両用収納装置。
【請求項３】
保持部は、第２の内側面部に設けられ、第２の収納凹部で保持される被収納体と異なる外形の被収納体の外側面に沿った第３の内側面部を備えている
ことを特徴とする請求項２記載の車両用収納装置。
【請求項４】
一の収納容器本体と、
保持部が一の収納容器本体の保持部に挿入可能であり、かつフランジ部が一の収納容器本体のフランジ部に係合可能である他の収納容器本体と
を具備したことを特徴とする請求項１記載の車両用収納装置。
【発明の詳細な説明】
【技術分野】
【０００１】
本発明は、被収納体を収納する入れ子式の車両用収納装置に関する。
【背景技術】
【０００２】
従来、車両としての作業機械である油圧ショベルなどには、図１２に示されるように、運転室１内に作業者すなわちオペレータ用のドリンクホルダ２を設けたものがある。このドリンクホルダ２は、有底円筒状に設けられ、飲料を収容した缶などの被収納体としての飲料容器を保持可能となっている。また、このドリンクホルダ２は、運転席３の側方に位置したコンソール４の前部に設けられ、オペレータの使い勝手に配慮している。
【０００３】
ところで、近年、飲料の容器も多様化し、ペットボトルに入った飲料などもある。また、ペットボトルも断面形状が円形のもの、あるいは四角形のものなどがあり、形状も多様化している。
【０００４】
このため、上述の図１２に示されるようなドリンクホルダ２では、円形以外の形状の容器を保持することができない場合がある。
【０００５】
また、容器をドリンクホルダ２で保持できた場合でも、一般的な自動車などの車両に比べて衝撃的な振動が生じることがある作業機械などでは、容器がドリンクホルダ２に確実に保持されていないと容器が動き、飲料がこぼれて飛散するおそれがある。
【０００６】
さらに、容器の外形とドリンクホルダ２の内形との隙間が大きい場合には、双方の接触によるがたつき音が発生するおそれがある。
【０００７】
そこで、従来、互いに異なる形状の保持孔が穿設された板状の複数の保持部材を、横長のガイドに上下方向に互いに離間して取り付け、水平方向に摺動可能とした車両用収納装置が知られている（例えば、特許文献１参照。）。
【０００８】
また、複数の丸孔状の貫通孔が穿設された平板状の支持部を内部に設けた容器を備え、各貫通孔にそれぞれ円柱状の軸部材を摺動可能に挿通した車両用収納装置も知られている（例えば、特許文献２参照。）。
【特許文献１】特開２００１−６３４３９号公報（第２−４頁、図１）
【特許文献２】特開２０００−２０３３４８号公報（第２−３頁、図４）
【発明の開示】
【発明が解決しようとする課題】
【０００９】
しかしながら、上述の特許文献１に記載された車両用収納装置では、板状の保持部材で被収納体の外側面を線状に保持するに過ぎず、また、上述の特許文献２に記載された車両用収納装置では、円柱状の軸部材の外周面で被収納体の外側面を保持するため、被収納体を確実に保持することが容易でないという問題点をそれぞれ有している。
【００１０】
本発明は、このような点に鑑みなされたもので、外形が異なる複数の被収納体をそれぞれ確実に保持できる車両用収納装置を提供することを目的とするものである。
【課題を解決するための手段】
【００１１】
請求項１記載の発明は、開口部および底面部を備え、被収納体を保持する収容部と、収容部の開口部および底面部の間に設けられた段差部と、収容部内に着脱自在に取り付けられた収納容器本体とを具備し、収納容器本体は、収容部に挿入され収容部で保持される被収納体よりも小さい外形の被収納体を保持する保持部と、保持部と一体に設けられ、保持部を収容部に挿入した状態で段差部に係合可能なフランジ部とを備えている車両用収納装置であり、比較的外形が大きい被収納体は、収容部で保持し、収容部で保持する被収納体よりも小さい外形の被収納体は、収納容器本体の被収納体を保持する保持部を収容部に挿入し、保持部と一体に設けられたフランジ部を収容部の開口部と底面部との間に設けられた段差部に係合させることで、保持部にて保持可能になるので、外形が異なる複数の被収納体をそれぞれ確実に保持することが可能になる。
【００１２】
請求項２記載の発明は、請求項１記載の車両用収納装置において、保持部が、被収納体の外側面に沿った第１の内側面部および第１の内側面部の下部から中心側に向けて設けられた第１の底面部を有する第１の収納凹部と、第１の底面部から下方に突設され、第１の収納凹部で保持される被収納体よりも小さい外形の被収納体の外側面に沿った第２の内側面部および第２の内側面部の下部から中心側に向けて設けられた第２の底面部を有する第２の収納凹部とを備えているものであり、第１の収納凹部の第１の内側面部で被収納体の外側面を保持するとともに第１の底面部で底部を支持し、第１の収納凹部で保持される被収納体よりも小さい外形の被収納体を支持する場合には、第２の収納凹部の第２の内側面部で被収納体の外側面を保持するとともに第２の底面部で底面部を支持することで、外形が異なる三種類以上の被収納体をそれぞれ確実に保持することが可能になる。
【００１３】
請求項３記載の発明は、請求項２記載の車両用収納装置において、保持部が、第２の内側面部に設けられ、第２の収納凹部で保持される被収納体と異なる外形の被収納体の外側面に沿った第３の内側面部を備えているものであり、第２の収納凹部の第２の内側面部に設けた第３の内側面部で、第２の収納凹部で保持する被収納体と異なる外形の被収納体の外側面を保持することで、四種類以上の異なる外形の被収納体を確実に保持することが可能になり、使い勝手が向上する。
【００１４】
請求項４記載の発明は、請求項１記載の車両用収納装置において、一の収納容器本体と、保持部が一の収納容器本体の保持部に挿入可能であり、かつフランジ部が一の収納容器本体のフランジ部に係合可能である他の収納容器本体とを具備したものであり、一の収納容器本体の保持部に他の収納容器本体の保持部を挿入するとともに、一の収納容器本体のフランジ部に他の収納容器本体のフランジ部を係合させることで、複数の収納容器本体の組み合わせにより外形が異なる複数の被収納体を確実に保持することが可能になる。
【発明の効果】
【００１５】
請求項１記載の発明によれば、比較的外形が大きい被収納体は、収容部で保持し、収容部で保持する被収納体よりも小さい外形の被収納体は、収納容器本体の被収納体を保持する保持部を収容部に挿入し、保持部と一体に設けられたフランジ部を収容部の開口部と底面部との間に設けられた段差部に係合させることで、保持部にて保持できるので、外形が異なる複数の被収納体をそれぞれ確実に保持できる。
【００１６】
請求項２記載の発明によれば、第１の収納凹部の第１の内側面部で被収納体の外側面を保持するとともに第１の底面部で底部を支持し、第１の収納凹部で保持される被収納体よりも小さい外形の被収納体を支持する場合には、第２の収納凹部の第２の内側面部で被収納体の外側面を保持するとともに第２の底面部で底面部を支持することで、外形が異なる三種類以上の被収納体をそれぞれ確実に保持できる。
【００１７】
請求項３記載の発明によれば、第２の収納凹部の第２の内側面部に設けた第３の内側面部で、第２の収納凹部で保持する被収納体と異なる外形の被収納体の外側面を保持することで、四種類以上の異なる外形の被収納体を確実に保持でき、使い勝手を向上できる。
【００１８】
請求項４記載の発明によれば、一の収納容器本体の保持部に他の収納容器本体の保持部を挿入するとともに、一の収納容器本体のフランジ部に他の収納容器本体のフランジ部を係合させることで、複数の収納容器本体の組み合わせにより外形が異なる複数の被収納体を確実に保持できる。
【発明を実施するための最良の形態】
【００１９】
以下、本発明を図１乃至図３に示された実施の形態を参照しながら詳細に説明する。
【００２０】
図１は、車両用収納装置としてのドリンクホルダ11を示し、このドリンクホルダ11は、自動車、あるいは作業機械としての油圧ショベルなどの車両に用いられるものである。そして、このドリンクホルダ11は、収容部12と、この収容部12に着脱自在に取り付けられる収納容器本体13とを備えた、いわゆる入れ子構造となっている。
【００２１】
収容部12は、例えば５００ｍｌ用などの比較的大きい外形すなわち外径寸法を有する図示されない飲料の容器、例えば缶、あるいは断面円形状のペットボトルなどの被収納体を保持するものである。
【００２２】
また、収容部12は、例えば座席の側方に設けられたコンソールＣなどに設けられ、例えば平面視で円形状の開口部14、この開口部14に連続した凹状の収容側面部15、および、この収容側面部15の下部に連続した底面部16とを備えている。
【００２３】
開口部14は、コンソールＣの上面に開口形成され、収容部12で保持する被収納体の挿入口となるものである。
【００２４】
収容側面部15は、収容部12で保持する被収納体の外側面である外周面に沿った内側面を有し、これら被収納体の外周面を保持するものである。
【００２５】
底面部16は、収容部12で保持する被収納体の底面を支持するものである。
【００２６】
なお、収容部12は、深さ寸法が大きすぎると被収納体が取り出しにくくなり、深さ寸法が小さすぎると被収納体を確実に保持することが容易でないため、被収納体の高さ寸法の半分程度の深さ寸法にすることが好ましい。
【００２７】
また、収容部12の開口部14と底面部16との間である上端部には、凹段差状の段差部17が設けられている。この段差部17は、収容部12の径方向に突出して設けられ、平面視でこの収容部12と同心円状の円形状に設けられている。すなわち、この段差部17は、開口部14の全周に設けられている。
【００２８】
一方、収納容器本体13は、図２および図３に示されるように、例えばウレタン樹脂などの合成樹脂で略有底円筒状に設けられ、収容部12で保持する被収納体よりも小さい外形寸法を有する、例えば３５０ｍｌ用などの飲料缶などの被収納体を保持するものであり、有底円筒状の保持部18と、この保持部18と一体的に設けられたフランジ部19とを有している。
【００２９】
保持部18は、円筒状の内側面部21と、この内側面部21の下端部を閉塞する収納底面部22とを備えている。
【００３０】
内側面部21は、収納容器本体13で保持する被収納体の外径寸法と略等しい内径寸法を有し、これら被収納体の外周面に面接触してこの外周面を保持するものである。また、内側面部21の外径寸法は、例えば収容部12の収容側面部15の内径に適合するように設けられている。
【００３１】
さらに、収納底面部22は、収納容器本体13で保持する被収納体の底面を支持するものであり、平面視で円形板状に設けられている。
【００３２】
そして、保持部18は、図１に示されるように、収容部12の深さ寸法よりも小さく、かつ、この保持部18で保持する被収納体の高さ寸法の半分程度の深さ寸法に設けられている。このため、保持部18は、収納容器本体13を収容部12に取り付けた状態で開口部14から収容部12内に挿入可能となっている。
【００３３】
一方、フランジ部19は、図２および図３に示されるように、保持部18と同心円状に設けられ、保持部18の外周面の全周から径方向に突出している。このフランジ部19は、収容部12の内径よりも大きく、段差部17の内径よりも小さい外径寸法を有している。このため、フランジ部19は、図１に示されるように、保持部18を開口部14から収容部12内に挿入して収納容器本体13を収容部12に取り付けた状態で、段差部17に係合可能である。
【００３４】
また、フランジ部19は、厚さ寸法が段差部17の深さ寸法よりも小さく設けられている。このため、フランジ部19は、段差部17に係合した状態でコンソールＣの上面から突出しない。
【００３５】
さらに、フランジ部19には、図示されない窪みが上面に設けられている。この窪みは、収納容器本体13で保持した被収納体の内容物がこぼれた場合に、この内容物を受けるものである。
【００３６】
次に、上記図１乃至図３に示された実施の形態の作用効果を説明する。
【００３７】
まず、比較的大きい被収納体は、収容部12内に下端部を開口部14から挿入することで、収容側面部15で外側面が保持され、底面部16で底面が支持されて、収容部12に保持される。
【００３８】
また、比較的小さい被収納体を保持する場合には、収納容器本体13の保持部18を開口部14から収容部12内に挿入し、フランジ部19を段差部17に係合させて、収納容器本体13を収容部12に取り付け、この収納容器本体13に下端部を挿入することで、内側面部21で外側面が保持され、収納底面部22で底面が支持されて、被収納体が収納容器本体13に保持される。
【００３９】
この結果、外径寸法が互いに異なる二種類の被収納体を、収納部12および収納容器本体13の保持部18でそれぞれ確実に保持できる。
【００４０】
さらに、収容部12および収納容器本体13で被収納体を確実に保持できるため、これら被収納体と、収容部12および収納容器本体13とが接触することによるがたつき音などの騒音を確実に防止できる。
【００４１】
そして、収納容器本体13をウレタン樹脂で設けることにより、被収納体を、よりがたつきなく確実に保持できるとともに、被収納体が飲料缶などである場合には、保温および保冷効果を得ることができる。
【００４２】
また、例えば衝撃的な振動が生じた場合など収容部12、あるいは収納容器本体13で保持した被収納体の内容物がこぼれた場合には、この内容物を段差部17、あるいはフランジ部19の窪みで受けることで、この内容物が飛散することなどを確実に防止できる。
【００４３】
次に、図４乃至図６に基づき、車両用収納装置の他の実施の形態を説明する。なお、上記図１乃至図３に示された実施の形態と同様の構成および作用については、同一符号を付してその説明を省略する。
【００４４】
図４は、収納容器本体13よりも小径の収納容器本体31を備えたドリンクホルダ11を示す。この収納容器本体31は、図５および図６に示されるように、例えばウレタンなどの合成樹脂で略有底円筒状に設けられ、収納容器本体13で保持する被収納体よりも小さい外形寸法を有する、例えば２５０ｍｌ用などの飲料缶などの被収納体を保持するものであり、有底円筒状の保持部32と、この保持部32と一体的に設けられたフランジ部33とを有している。
【００４５】
保持部32は、円筒状の内側面部34と、この内側面部34の下端部を閉塞する収納底面部35とを備え、収納容器本体31を収容部12に取り付けた状態で収容部12内に挿入される。
【００４６】
内側面部34は、収納容器本体31で保持する被収納体の外径寸法と略等しい内径寸法を有し、これら被収納体の外側面を保持するものである。また、内側面部34の内径寸法および外径寸法は、内側面部21の内径寸法よりも小さい。
【００４７】
さらに、収納底面部35は、収納容器本体31で保持する被収納体の底面を支持するものであり、平面視で円形板状に設けられている。
【００４８】
そして、保持部32は、図４に示されるように、収容部12の深さ寸法よりも小さく、かつ、この保持部32で保持する被収納体の高さ寸法の半分程度の深さ寸法に設けられている。このため、保持部32は、収納容器本体31を収容部12に取り付けた状態で開口部14から収容部12内に挿入可能となっている。また、保持部32は、収納容器本体13の保持部18の深さ寸法よりも小さい深さ寸法を有している。
【００４９】
一方、フランジ部33は、図５および図６に示されるように、保持部32と同心円状に設けられ、保持部32の外周面の全周から径方向に突出している。このフランジ部33は、フランジ部19と略等しい外径寸法を有している。このため、フランジ部33は、図４に示されるように、保持部32を開口部14から収容部12内に挿入して収納容器本体31を収容部12に取り付けた状態で、段差部17に係合可能である。
【００５０】
また、フランジ部33は、フランジ部19と同様に、厚さ寸法が段差部17の深さ寸法よりも小さく設けられている。このため、フランジ部33は、段差部17に係合した状態でコンソールＣの上面から突出しない。
【００５１】
さらに、フランジ部33には、図示されない窪みが上面に設けられている。この窪みは、収納容器本体31で保持した被収納体の内容物がこぼれた場合に、この内容物を受けるものである。
【００５２】
次に、上記図４乃至図６に示された実施の形態の作用効果を説明する。
【００５３】
収容部12および収納容器本体13でそれぞれ保持する被収納体よりも小さい被収納体を保持する場合には、収納容器本体31の保持部32を開口部14から収容部12内に挿入し、フランジ部33を段差部17に係合させて、収納容器本体31を収容部12に取り付け、この収納容器本体31に被収納体の下端部を挿入することで、内側面部34で外側面が保持され、収納底面部35で底面が支持されて、被収納体が収納容器本体31で保持される。
【００５４】
この結果、外径寸法が互いに異なる二種類の被収納体を、収納部12および収納容器本体31の保持部32でそれぞれ確実に保持できる。
【００５５】
なお、上記各実施の形態では、収納容器本体13，31を択一的に使用したが、図７に示されるように、上記各実施の形態を組み合わせて用いることも可能である。すなわち、収納容器本体31の保持部32を収納容器本体13の保持部18内に挿入し、収納容器本体31のフランジ部33を収納容器本体13のフランジ部19の上部に係合して着脱自在に取り付ける。
【００５６】
この結果、収容部12、収納容器本体13および収納容器本体31で、それぞれ外径寸法が異なる三種類の被収納体を保持でき、使い勝手を向上できる。
【００５７】
また、他の収納容器本体を、順次入れ子状に取り付けることで、順次小さい外径の複数種類の被保持体を保持できる。
【００５８】
次に、図８乃至図１０に基づき、車両用収納装置のさらに他の実施の形態を説明する。なお、上記各実施の形態に示された実施の形態と同様の構成および作用については、同一符号を付してその説明を省略する。
【００５９】
図８は、収納容器本体41を備えたドリンクホルダ11を示す。この収納容器本体41は、例えばウレタンなどの合成樹脂で略有底円筒状に設けられ、収容部12で保持する被収納体よりも小さい外形寸法を有する、例えば３５０ｍｌ用などの飲料缶、および２５０ｍｌ用などの飲料缶などの被収納体をそれぞれ保持するものである。
【００６０】
また、この収納容器本体41は、図９および図１０に示されるように、第１の収納凹部42および第２の収納凹部43を備えた略有底円筒状の保持部44と、この保持部44と一体的に設けられたフランジ部45とを有している。
【００６１】
第１の収納凹部42は、例えば３５０ｍｌ用などの飲料缶などの被収納体を保持するもので、円筒状の第１の内側面部51と、この第１の内側面部51の下部から内方に一体に設けられた環状の第１の底面部52とを備えている。
【００６２】
第１の内側面部51は、第１の収納凹部42で保持する被収納体の外周面に沿って設けられ、これら被収納体の外径寸法と略等しい内径寸法を有し、これら被収納体の外周面を保持するものである。また、この第１の内側面部51の外径寸法は、収容部12の内径に適合するように設けられている。
【００６３】
さらに、第１の底面部52は、第１の収納凹部42で保持する被収納体の底面を支持するものであり、図９に示されるように、第１の内側面部51と同心状に略水平に設けられている。また、この第１の底面部52は、第１の内側面部51の内径寸法と等しい外径寸法およびこの外径寸法よりも若干小さい内径寸法を有している。そして、この第１の底面部52により、保持部44は、第１の収納凹部42と第２の収納凹部43とが段差状に設けられている。
【００６４】
そして、第１の収納凹部42は、収容部12の深さ寸法よりも小さく、第１の収納凹部42で保持する被収納体の高さ寸法の半分程度、かつ保持部44の半分程度の深さ寸法に設けられている。
【００６５】
一方、第２の収納凹部43は、例えば２５０ｍｌ用などの飲料缶などの被収納体を保持するもので、第１の底面部52から下方に突出し、第１の収納凹部42と同心状の有底円筒状に設けられている。また、この第２の収納凹部43は、円筒状の第２の内側面部53と、この第２の内側面部53の下部から内方に一体に設けられた第２の底面部54とを備えている。
【００６６】
第２の内側面部53は、第２の収納凹部43で保持する被収納体の外周面に沿って設けられ、これら被収納体の外径寸法と略等しい内径寸法を有し、これら被収納体の外周面を保持するものである。また、第２の内側面部53の内径寸法は、第１の底面部52の内径寸法と略等しく設けられ、第１の底面部52と連続している。さらに、この第２の内側面部53の外径寸法は、第１の内側面部51よりも小さく設けられている。
【００６７】
第２の底面部54は、第２の収納凹部43で保持される被収納体の底面を支持するものであり、第２の内側面部53の下部を閉塞する円形状に設けられている。
【００６８】
そして、第２の収納凹部43は、収容部12の深さ寸法と第１の収納凹部42の深さ寸法との差よりも小さく、第２の収納凹部43で保持する被収納体の高さ寸法の半分程度、かつ保持部44の半分程度の深さ寸法に設けられている。このため、保持部44は、図８に示されるように、収納容器本体41を収容部12に取り付けた状態で開口部14から収容部12内に挿入可能となっている。
【００６９】
一方、フランジ部45は、図９および図１０に示されるように、保持部44と同心円状に設けられ、保持部44の外周面の全周から径方向に突出している。このフランジ部45は、収容部12の内径よりも大きく、段差部17の内径よりも小さい外径寸法を有している。このため、フランジ部45は、図８に示されるように、保持部44を開口部14から収容部12内に挿入して収納容器本体41を収容部12に取り付けた状態で、段差部17に係合可能である。
【００７０】
また、フランジ部45は、フランジ部19，33と同様に、厚さ寸法が段差部17の深さ寸法よりも小さく設けられている。このため、フランジ部45は、段差部17に係合した状態でコンソールＣの上面から突出しない。
【００７１】
さらに、フランジ部45には、図示されない窪みが上面に設けられている。この窪みは、第２の収納凹部43で保持した被収納体の内容物がこぼれた場合に、この内容物を受けるものである。
【００７２】
次に、上記図８乃至図１０に示された実施の形態の作用効果を説明する。
【００７３】
まず、比較的大きい被収納体は、収容部12内に下端部を挿入することで、収容側面部15で外側面が保持され、底面部16で底面が支持されて、収容部12に保持される。
【００７４】
また、例えば３５０ｍｌ用の飲料缶などの被収納体を保持する場合には、収納容器本体41の保持部44を開口部14から収容部12内に挿入し、フランジ部45を段差部17に係合させて、収納容器本体41を収容部12に取り付け、この収納容器本体41に下端部を挿入することで、第１の内側面部51で外側面が保持され、第１の底面部52で底面の周縁を支持されて、被収納体が第１の収納凹部42で保持される。
【００７５】
さらに、例えば２５０ｍｌ用の飲料缶などの、第１の収納凹部42で保持される被収納体よりも小さい外径寸法を有する被収納体を保持する場合には、この被収納体の下端部を収納容器本体41に挿入することで、第２の内側面部53で外側面が保持され、第２の底面部54で底面を支持されて、被収納体が第２の収納凹部43で保持される。
【００７６】
この結果、外径寸法が異なる複数、例えば三種類の被収納体を、ドリンクホルダ11でそれぞれ確実に保持できる。
【００７７】
そして、第２の収納凹部43で保持した被収納体の内容物がこぼれた場合には、第１の底面部52で、第１の収納凹部42で保持した被収納体の内容物がこぼれた場合には、フランジ部45の窪みで、収容部12で保持した被収納体の内容物がこぼれた場合には、段差部17で、それぞれ内容物を受けることで、これら内容物が飛散することなどを確実に防止できる。
【００７８】
なお、上記図８乃至図１０に示された実施の形態において、図１１に示されるように、第２の収納凹部43に、この第２の収納凹部43で保持する被収納体と異なる外形、例えば断面四角形状の被収納体の外側面に沿った第３の内側面部55を設ける構成も可能である。これら第３の内側面部55は、第２の底面部54の平面視の中心に対してそれぞれ点対称な位置となる４箇所、すなわち第２の底面部54の平面視の中心について約９０°ずつ等角度に離間された位置に、それぞれ第２の内側面部53から外方に突出して設けられている。したがって、これら第３の内側面部55により、第２の収納凹部43と第２の底面部54を共有する平面視四角形状の第３の収納凹部56が設けられている。
【００７９】
そして、この場合には、第３の内側面部55で、第１の収納凹部42および第２の収納凹部43で保持する被収納体と異なる外形の被収納体の外側面を保持することで、少なくとも四種類の異なる外形の被収納体を確実に保持でき、使い勝手を向上できる。
【００８０】
また、上記各実施の形態において、収納容器本体13，31，41は、それぞれフランジ部19，33，45およびコンソールＣのいずれか一方にラッチを設け、収納容器本体13，31，41を周方向に例えば３０°程度回転させて固定する構成、あるいはノブタイプの螺子などで手締めしてフランジ部19，33，45を段差部17に固定する構成など、他の様々な構成で収容部12に固定することが可能である。
【００８１】
さらに、収容部12、保持部18，32，44および収納凹部42，43などは断面円形状としたが、保持する被保持体の外形に応じて、他の様々な形状とすることが可能である。
【００８２】
同様に、第３の内側面部55も、異なる形状であれば、他の様々な形状が可能である。
【００８３】
そして、被保持体としては、飲料缶、あるいはペットボトルなど以外にも、例えば携帯電話など、他の様々なものが可能である。
【００８４】
また、フランジ部19，33，45は、それぞれ収納容器本体13，31，41の上端部の少なくとも一部に設けられていれば、これら収納容器本体13，31，41の全周に設けなくてもよい。この場合には、段差部17も、収容部12の開口部14の少なくとも一部に設けられていれば、開口部14の全周に設けなくてもよい。
【００８５】
さらに、油圧ショベル以外にも、自動車など他の様々な車両に使用することが可能である。
【図面の簡単な説明】
【００８６】
【図１】本発明に係る車両用収納装置の一実施の形態を示す縦断面図である。
【図２】同上車両用収納装置の収納容器本体を示す平面図である。
【図３】同上収納容器本体を示す側面図である。
【図４】本発明に係る車両用収納装置の他の実施の形態を示す縦断面図である。
【図５】同上車両用収納装置の収納容器本体を示す平面図である。
【図６】同上収納容器本体を示す側面図である。
【図７】図２および図５に示される各収納容器本体を組み合わせた車両用収納装置の一実施の形態を示す縦断面図である。
【図８】本発明に係る車両用収納装置のさらに他の実施の形態を示す縦断面図である。
【図９】同上車両用収納装置の収納容器本体を示す平面図である。
【図１０】同上収納容器本体を示す側面図である。
【図１１】本発明に係る車両用収納装置のさらに他の実施の形態を示す平面図である。
【図１２】従来例の車両用収納装置を示す斜視図である。
【符号の説明】
【００８７】
11    車両用収納装置としてのドリンクホルダ
12    収容部
13，31，41    収納容器本体
14    開口部
16    底面部
17    段差部
18，32，44    保持部
19，33，45    フランジ部
42    第１の収納凹部
43    第２の収納凹部
51    第１の内側面部
52    第１の底面部
53    第２の内側面部
54    第２の底面部
55    第３の内側面部
【図１】
2005075181.tif 000003
【図２】
2005075181.tif 000004
【図３】
2005075181.tif 000005
【図４】
2005075181.tif 000006
【図５】
2005075181.tif 000007
【図６】
2005075181.tif 000008
【図７】
2005075181.tif 000009
【図８】
2005075181.tif 000010
【図９】
2005075181.tif 000011
【図１０】
2005075181.tif 000012
【図１１】
2005075181.tif 000013
【図１２】
2005075181.tif 000014